(57)【要約】【課題】簡単な構成で安価であり、通気性が良く引っ張り強度も高い経編地を提供する。【解決手段】第一の筬により形成された第一基本組織１４と、第二の筬により形成され第一基本組織１４とともに編成された第二基本組織１５とから成る基本編地１６を有する。ウェールの編成方向に沿って第一・第二基本組織１４，１５が編成されていない空間部１７を備え、空間部１７を横切るように、第三の筬により編成された連結組織１８を備える。空間部１７の両側の基本編地１６に、連結組織１８の経糸１３が掛かるように往復して編成され、空間部１７により所定間隔で開口部２０を形成する。【選択図】図１
2010156090.tif 000002
【特許請求の範囲】
【請求項１】
第一の筬により形成された第一基本組織と、第二の筬により形成され前記第一基本組織とともに編成された第二基本組織とから成る基本編地を有し、ウェールの編成方向に沿って前記第一・第二基本組織が編成されていない空間部を備え、前記空間部を横切るように、第三の筬により編成された連結組織を備え、前記空間部の両側の前記基本編地に前記連結組織の経糸が掛かるように往復して編成され、前記空間部により所定間隔で開口部が形成されたことを特徴とする経編地。
【請求項２】
前記第一基本組織はデンビー編により形成され、前記第二基本組織はコード編により形成され、前記連結組織はアトラス編を組み合わせて形成されたことを特徴とする請求項１記載の経編地。
【請求項３】
前記連結組織は、前記第二基本組織と前記空間部の側方で絡み合い、前空間部を横切り、これを繰り返す請求項２記載の経編地。
【請求項４】
前記空間部の少なくとも一方の側に接する前記第一基本組織の前記経糸は、複数本を一つの筬位置番号に挿通されて編成されている請求項１、２または３記載の経編地。
【請求項５】
前記第一基本組織と前記第二基本組織は、互いに経糸の進行方向が反対である請求項２記載の経編地。
【請求項６】
前記連結組織は、第三・第四の筬により編成された一対の連結組織を有する請求項１記載の経編地。
【請求項７】
前記一対の連結組織は、互いに経糸の進行方向が反対で、対称な経糸編成の編み組織である請求項６記載の経編地。
【請求項８】
前記空間部は前記基本編地の１針分を空けて形成され、前記開口部が連なって開口列が形成され、一連の前記連結組織が前記空間部を往復して横切り、前記開口列を形成して成る請求項１乃至７のいずれか記載の経編地。
【請求項９】
前記空間部は、所定幅の前記基本編地を挟んで平行に２列設けられ、一連の前記連結組織が前記２列の空間部を往復して横切り、２列の前記開口列を形成した請求項１ないし８のいずれか記載の経編地。
【請求項１０】
前記連結組織は、１コース毎に、コード編で１往復し、反対方向にアトラス編により横に移行し開き目を形成してさらに同方向に移動し、閉じ目を形成して再びコード編で往復し、反対方向に向かってアトラス編を行い、これを繰り返して成る請求項８記載の経編地。
【請求項１１】
請求項１乃至１０のいずれか記載の経編地を用いて、着用者の身体の屈曲部に沿って前記開口列が形成されたことを特徴とする運動用衣服。
【請求項１２】
前記開口列は、着用者の腋の上方から肘を通過して形成された請求項１１記載の運動用衣服。
【請求項１３】
前記開口列は、着用者の腋の下方の体側部に形成された請求項１１記載の運動用衣服。
【発明の詳細な説明】
【技術分野】
【０００１】
この発明は、スポーツ用のアンダーウェア等に用いられる伸縮性に富んだ経編地とそれを用いた運動用衣服に関する。
【背景技術】
【０００２】
近年、運動用衣服として、吸汗性の高いアンダーウェアの着用が定着してきている。このアンダーウェアには、伸縮性と吸汗性を備えた経編地の生地が用いられている。この経編地は、スパンテックス糸を用いて経編機により編成される。
【０００３】
また、特許文献１に開示されているように、より吸汗性・発汗性の良い経編地の編組織についても提案されている。この編組織は、表組織に単糸繊度が１〜５デニールの合成繊維フィラメント糸を用い、その下層の組織には、単糸繊度が０．０５〜０．５デニールの合成繊維フィラメント糸を用い、表組織となるステッチ組織のアンダーラップと同方向で、少なくともステッチ組織より一針間以上大きい組織で編成した経編地である。その他、特許文献２に開示されているように、ジャガード編により、編地の特定部分に異なる編組織を形成し、緊締力が部位により異なるアンダーシャツも提案されている。
【先行技術文献】
【特許文献】
【０００４】
【特許文献１】特開平８−１７６９４３号公報
【特許文献２】特開２００５−２９０６２５号公報
【発明の概要】
【発明が解決しようとする課題】
【０００５】
上記従来の技術の場合、経編地によりアンダーウェアは、生地密度が高く、通気性が悪く、汗の放散性が悪いものであった。さらに、通気性が悪いので、外気の流れや着用者自身の動きによる空気の流れを感じることも出来ず、着用感が良いとは言えないものであった。
【０００６】
さらに、特許文献１に開示された経編地のように、吸汗性・発汗性に優れた編組織もあるが、この経編地も通気性が良いものではなく、着用感の良いものではなかった。一方、引用文献２に開示されたジャガード編を利用して、生地の編組織を変えて通気性を良くすることも考えられるが、ジャガード編は組織が複雑になり、コストが高く、伸縮性も良くなく、安価に着用感の良いアンダーウェアを形成することは難しいものであった。
【０００７】
また、編組織により通気性を良くしようとすると、編み目やその他の開口が大きくなり、引っ張り強度が落ちて、耐久性も低いものとなる。さらに、肘部や膝部など動きの大きい部位では、編み地が大きく引き延ばされ、最も伸張度が大きい部位に向かってつっぱり感が生じ、動きの激しいスポーツの場合、アンダーウェアにより動きが阻害されたり、着用に違和感を生じたりする原因となっていた。
【０００８】
この発明は、上記背景技術に鑑みて成されたものであり、簡単な構成で安価であり、通気性が良く着用感が良好な経編地とそれを用いた運動用衣服を提供することを目的とする。
【課題を解決するための手段】
【０００９】
この発明は、第一の筬により形成された第一基本組織と、第二の筬により形成され前記第一基本組織とともに編成された第二基本組織とから成る基本編地を有し、ウェールの編成方向に沿って前記第一・第二基本組織が編成されていない空間部を備え、前記空間部を横切るように、第三の筬により編成された連結組織を備え、前記空間部の両側の前記基本編地に前記連結組織の経糸が掛かるように往復して編成され、前記空間部により所定間隔で開口部が形成された経編地である。
【００１０】
前記第一基本組織はデンビー編により形成され、前記第二基本組織はコード編により形成され、前記連結組織はアトラス編を組み合わせて形成されたものである。
【００１１】
前記連結組織は、前記第二基本組織と前記空間部の側方で絡み合い、前空間部を横切るものである。前記空間部の少なくとも一方の側に接する前記第一基本組織の前記経糸は、複数本を一つの筬位置番号に挿通されて編成されている。さらに、前記第一基本組織と前記第二基本組織は、互いに経糸の進行方向が反対である。
【００１２】
また、前記空間部は、所定幅の前記基本編地を挟んで平行に２列設けられ、前記空間部は前記基本編地の１針分を空けて形成され、一連の前記連組織が前記２列の空間部を往復して横切り前記開口部を形成したものである。前記連結組織は、１コース毎に、コード編で１往復し、反対方向にアトラス編により横に移行し開き目を形成してさらに同方向に移動し、閉じ目を形成して再びコード編で往復し、反対方向に向かってアトラス編を行い、これを繰り返したものである。
【００１３】
また、前記連結組織は、第三・第四の筬により編成された一対の連結組織を有するものでも良い。前記一対の連結組織は、互いに経糸の進行方向が反対で、対称な経糸編成の編み組織である。
【００１４】
前記空間部は前記基本編地の１針分を空けて形成され、前記開口部が連なって開口列が形成され、一連の前記連結組織が前記空間部を往復して横切り、前記開口列を形成したものである。前記空間部は、所定幅の前記基本編地を挟んで平行に２列設けられ、一連の前記連結組織が前記２列の空間部を往復して横切り、２列の前記開口列を形成したものである。
【００１５】
前記連結組織は、１コース毎に、コード編で１往復し、反対方向にアトラス編により横に移行し開き目を形成してさらに同方向に移動し、閉じ目を形成して再びコード編で往復し、反対方向に向かってアトラス編を行い、これを繰り返して成るものである。
【００１６】
またこの発明は、前記経編地を用いて、着用者の身体の屈曲部の長手方向等に沿って前記開口列が形成された運動用衣服である。前記開口列は、着用者の腋の上方から肘を通過して形成されたものである。また、前記開口列は、着用者の腋の下方の体側部に形成されたものでも良い。
【発明の効果】
【００１７】
この発明の経編地は、簡単な構造で引っ張り強度が高く、耐久性も高いものである。しかも、適宜の位置に開口部によるメッシュ部分が形成され、通気性があり、アンダーウェア等の運動用衣服として用いた場合には、空気の流れを感じることが出来る。さらに、伸縮性が高く、開口部による開口列で伸縮方向が分断され、つっぱり感がなく着用感の良い衣服を形成することが出来る。
【図面の簡単な説明】
【００１８】
【図１】この発明の第一実施形態の経編地の基本組織等を示す正面図である。
【図２】この実施形態の経編地の編組織を示す正面図である。
【図３】この発明の第二実施形態の経編地の編組織を示す正面図である。
【図４】この発明の第三実施形態の経編地の編組織を示す正面図である。
【図５】この発明の第四実施形態の経編地の編組織を示す正面図である。
【図６】この発明の第五実施形態の経編地の基本組織等を示す正面図である。
【図７】この発明の第五実施形態の経編地の編組織を示す正面図である。
【図８】この発明の第六実施形態の経編地の基本組織等を示す正面図である。
【図９】この発明の第七実施形態の経編地の連結組織を示す正面図である。
【図１０】この発明による運動用衣服の実施形態を示す部分正面図である。
【図１１】この発明による運動用衣服の実施形態を示す部分正面図である。
【発明を実施するための形態】
【００１９】
以下、この発明の一実施形態の経編地について、図面に基づいて説明する。図１、図２はこの発明の第一実施形態の経編地を示す。この実施形態の経編地１０は、トリコットの経編地を形成するもので、第一の筬Ｌ１により形成され、筬Ｌ１の糸位置番号（１−０／１−２）で経糸１１により編成されたデンビー編の第一基本組織１４と、第二の筬Ｌ２により形成され第一基本組織１４とともに編成され、筬Ｌ２の糸位置番号（１−０／２−３）で経糸１２により編成されたコード編による第二基本組織１５とから成る。第一基本組織１４と第二基本組織１５は、互いに経糸１１，１２の進行方向が反対であり、経編地の大部分を占める基本編地１６を形成している。
【００２０】
基本編地１６には、ウェールの編成方向に沿って、第一・第二基本組織１４，１５が編成されていない空間部１７が、１針分空けて形成されている。空間部１７は、３本の経糸１１による第一基本組織１４と２本の経糸１２による第二基本組織１５による帯状の基本編地１６を挟んで、２列に形成されている。そして、２列の空間部１７を横切るように、第三の筬による経糸１３が編成され、アトラス編を組み合わせた連結組織１８を備えている。
【００２１】
連結組織１８は、４本の経糸１３により形成され、１コース毎に、コード編で１往復して、反対方向にアトラス編により、３針位置だけ横に移行し開き目を形成してさらに３針位置同方向に移動し、閉じ目を形成して、再びコード編で往復し、反対方向へ上記と同様にアトラス編を行い、これを繰り返す。これにより、２列の空間部１７の両側の基本編地１６に経糸１３が掛かるように往復して編成され、図２に示すように、空間部１７により交互に開口部２０を形成している。連結組織１８の組織構成は、各筬Ｌ３の糸位置番号が０から７の間で往復し、上記のように編み進むもので、各筬の糸位置番号は、（１−０／２−３／１−０／３−４／６−７／５−４／６−７／４−３）の繰り返しで表される。
【００２２】
ここで、第一基本組織１４の経糸１１はポリウレタン弾性繊維のスパンデックスが用いられている。また、第二基本組織１５の経糸１２及び連結組織１８の経糸１３は、ポリエステルやナイロンから成る引っ張り強度の高い糸が用いられている。
【００２３】
さらに、空間部１７に沿った経糸１１のうちの一方の経糸１１ａである、図２で空間部１７の左側に位置する第一基本組織１４の経糸１１ａを、２本で一つの筬Ｌ１の糸位置に通して強度を高めている。
【００２４】
この実施形態の経編地１０によれば、簡単な編み組織構造で生地の引っ張り強度が高く、耐久性も高いものである。しかも、適宜の位置に開口部２０によるメッシュ部分が形成され、通気性があり、運動着等のアンダーウェアとして用いた場合にも、通気性が良く、空気の流れを感じることが出来、着用感の良いウェアを形成することが出来る。
【００２５】
次に、この発明の経編地の第二実施形態について、図３を基にして説明する。ここで、上記実施形態と同様の部材は、同一の符号を付して説明を省略する。この実施形態の経編地１０は、連結組織１８の経糸１３を６本用いて形成したものである。経糸１３の編組織は、上記実施形態と同様である。
【００２６】
この実施形態の経編地１０によれば、空間部１７が形成された部分の生地の引っ張り強度がより高められ、耐久性も高いものとなっている。
【００２７】
次に、この発明の経編地の第三実施形態について、図４を基にして説明する。ここで、上記実施形態と同様の部材は、同一の符号を付して説明を省略する。この実施形態の経編地は、上記第一実施形態の編み組織で、空間部１７の両側に沿った基本組織１４の経糸１１ａを、２本で一つの筬Ｌ１の糸位置に通している。これにより、空間部１７に沿った組織の強度をより高めたものである。
【００２８】
次に、この発明の経編地の第四実施形態について、図５を基にして説明する。ここで、上記実施形態と同様の部材は、同一の符号を付して説明を省略する。この実施形態の経編地は、連結組織１８の経糸１３を６本により形成したものである。さらに、上記第三実施形態の編み組織と同様に、空間部１７の両側に沿った基本組織１４の経糸１１を、２本で一つの筬Ｌ１の糸位置に通している。この構成によっても、空間部１７に沿った組織の強度をさらにより高めたものである。
【００２９】
次に、この発明の経編地の第五実施形態について、図６、図７を基にして説明する。ここで、上記実施形態と同様の部材は、同一の符号を付して説明を省略する。この実施形態の経編地は、連結組織１８の経糸１３の振り方を変えたもので、連結組織１８は、５本の経糸１３により形成され、２列の空間部１７が形成された基本編地１６は上記実施形態と同様であり、図６、図７に示すように、空間部１７により二つの開口部２０が互いに並んで、列を形成している。
【００３０】
連結組織１８の組織構成は、各筬Ｌ３の糸位置番号が０から５の間で往復し、上記のように編み進むもので、各筬の糸位置番号は、（１−０／２−３／１−０／２−３／４−５／３−２／４−５／３−２）の繰り返しで表される。そして、筬Ｌ３による経糸１３の筬位置が４−５のときに筬Ｌ２による経糸１２の筬位置１−０で経糸１２，１３絡み合い、確実に連結組織１８と基本編地１６が連結される。
【００３１】
さらに、空間部１７の両側に沿った第一基本組織１４の経糸１１ａを、２本で一つの筬Ｌ１の糸位置に通している。この構成によっても、空間部１７に沿った組織の強度をより高めることができる。
【００３２】
この実施形態の経編地１０によっても、簡単な編み組織構造で生地の引っ張り強度が高く、耐久性も高いものである。
【００３３】
次に、この発明の経編地の第六実施形態について、図８を基にして説明する。ここで、上記実施形態と同様の部材は、同一の符号を付して説明を省略する。この実施形態の経編地は、前記第５実施形態の連結組織１８同様の組織であって、さらに、対称に形成される連結組織２２を、第４の筬Ｌ４により形成したものである。連結組織２２は、経糸１５によるアトラス編により構成されている。
【００３４】
この経編地は、例えば第３の筬Ｌ３による連結組織１８においては、３本の針に経糸１３が通され、そのうち両側の２本の針には２本ずつの経糸１３が挿通される。なお、２本の経糸を挿通する代わりに太い経糸を用いても良い。さらに、連結組織２２が連結組織１８と対称な経糸編成で互いに重なる位置に設けられる。第４の筬Ｌ４による連結組織２２は、８本の針に経糸１５が通され、そのうち、１本おきの針には２本の経糸１５が挿通され、合計１２本の経糸１５が用いられている。なお、２本の経糸を挿通する代わりに太い経糸を用いても良い。そして、上述の実施形態と同様に、２列の空間部の両側の基本編地に経糸１３，１５が掛かるように往復して編成され、さらに連結組織１８，２２の経糸１３，１５が、互いに反対方向に交差するように編成される。
【００３５】
この実施形態の経編地によっても、簡単な編み組織構造でさらに生地の引っ張り強度が高く、耐久性も高い生地を形成することができるものである。
【００３６】
次に、この発明の経編地の第七実施形態について、図９を基にして説明する。ここで、上記実施形態と同様の部材は、同一の符号を付して説明を省略する。この実施形態の経編地は、連結組織１８，２２の経糸１３，１５の振り方を前述の実施形態とは変えたもので、図９に示すように、連結組織１８，２２が互いに対称に設けられ、この実施形態では１コース毎にコード編で３往復して、反対方向に向かってアトラス編により、２針位置だけ横に移行し開き目を形成して、さらに２針位置同方向に移動し、閉じ目を形成して、再びコード編で３往復し、反対方向へ上記と同様にアトラス編を行い、これを繰り返すものである。この対称に形成される連結組織２２も、第４の筬Ｌ４により形成される。
【００３７】
この経編地は、例えば第３の筬Ｌ３による連結組織１８においては、３本の針に経糸１３が通され、そのうち両側の２本の針には２本ずつの経糸１３が挿通されている。なお、２本の経糸を挿通する代わりに太い経糸を用いても良い。さらに、連結組織２２が連結組織１８と対称な経糸編成で設けられ、第４の筬Ｌ４による連結組織２２は、８本の針に経糸１５が通され、そのうち、１本おきの針には２本の経糸１５が挿通され、合計１２本の経糸１５が用いられている。なお、２本の経糸を挿通する代わりに太い経糸を用いても良い。そして、上述の実施形態と同様に、２列の空間部の両側の基本編地に経糸１３，１５が掛かるように往復して編成され、さらに連結組織１８，２２の経糸１３，１５が、互いに反対方向に交差するように編成される。
連結組織２２が連結組織１８と対称な経糸編成で、上述の実施形態と同様に、２列の空間部の両側の基本編地に経糸１３，１５が掛かるように往復して編成される。
【００３８】
この実施形態の経編地１０によっても、簡単な編み組織構造で生地の引っ張り強度が高く、耐久性も高い生地を形成することができるものである。
【００３９】
次に、この発明の経編地１０を用いた運動用衣服の実施形態について、図１０、図１１を基にして説明する。ここで、上記実施形態と同様の部材は、同一の符号を付して説明を省略する。この実施形態の運動用衣服は、上述の実施形態の経編地を用いて、アンダーシャツ３０を形成したもので、伸縮の大きい部位である腋から肘を通る部分に開口部２０による開口列２４が形成されたものである。
【００４０】
具体的には、図１０に示すように、開口列２４が着用者の腋の上方から肘を通過して袖口まで形成されている。さらに、図１１に示すように、開口列２４が着用者の腋の下方の体側部に形成されていても良い。
【００４１】
この開口列２４により、例えば肘を曲げた場合、従来は、肘の頂点から放射状に張力が発生し、腋の下にも突っ張り感が生じるものであったが、この発明による経編地１０を用いて、開口列２４を腕に沿って形成することにより、開口列２４で張力が分断され、突っ張りが開口列２４により分散し、突っ張り感が緩和される。また、体側部に形成されている場合も、上体のひねりに対してアンダーシャツ３０の追従がよく、通気性も良い。また、タイツ等に利用する場合は、膝部や臀部、体側部から足首まで等に開口列を適宜形成しても良く、開口列の形成位置は適宜設定し得るものである。
【００４２】
なお、この発明の経編地は前記実施形態に限定されるものではなく、トリコット編やラッセル編等を利用して、各基本組織のパターンや経糸の本数は適宜設定可能である。また、その他、適宜本願発明の範囲内で変更可能なものである。
【符号の説明】
【００４３】
１０  経編地
１１，１２，１３，１５  経糸
１４  第一基本組織
１５  第二基本組織
１６  基本編地
１７  空間部
１８，２２  連結組織
２０  開口部
２４  開口列
【図１】
2010156090.tif 000003
【図２】
2010156090.tif 000004
【図３】
2010156090.tif 000005
【図４】
2010156090.tif 000006
【図５】
2010156090.tif 000007
【図６】
2010156090.tif 000008
【図７】
2010156090.tif 000009
【図８】
2010156090.tif 000010
【図９】
2010156090.tif 000011
【図１０】
2010156090.tif 000012
【図１１】
2010156090.tif 000013